(57)【要約】本発明は、ポータブル構造（２、２’）と連結された深度センサ（１）または３Ｄ画像取り込み装置をベースとした、足底画像を取り込むシステムに関する。当該システムは、第１の脚部；ガラス板（８）を保持する第１のフレーム（３）；および、その下に配置された床の態様であるガラス板（８）と接触するように患者の足を配置する弾性膜（１０）を備える。ガラス板の下に配置された深度センサ（１）によって足底画像を取り込む。一対の第２の脚部（１３）を備えたプラットフォーム（１２）それぞれは、第１のフレーム（３）に連結され得る。したがって、本発明の本質的な主題は、組立体の運搬を可能にし、任意の所望の場所において患者の足底画像を取り込むができる、ポータブル構造（２、２’）において透明な床を含むシステムである。
2021529649.tif 000002
【特許請求の範囲】
【請求項１】
深度センサ（１）および３Ｄ画像取り込み装置から選択される装置、および、
第１の本体（６）および第２の本体（７）をそれぞれ各端部に収容する管状中央本体（５）から構成される第１の脚部（４）と、前記第１の脚部（４）の前記管状中央本体（５）に連結された、ガラス板（８）を保持する第１のフレーム（３）と、前記第１の脚部（４）の前記第２の本体（７）に連結された、弾性膜（１０）と、から規定されるポータブル構造（２、２’）を備え、
前記管状中央本体（５）に対する、第１の本体（６）および第２の本体（７）の両方の位置が調整可能であり、
スキャンされるように、前記弾性膜（１０）が前記第１のフレーム（３）のガラス板（８）に支持されるまで、取得されるべき足底画像の対象としての足が前記弾性膜（１０）に位置される、足底画像を取り込むシステム。
【請求項２】
前記弾性膜（１０）が、前記第１の脚部（４）の前記第２の本体（７）に固定された第２のフレーム（９）に固定され、
前記第１のフレーム（３）までの距離が調整可能である、請求項１に記載の足底画像を取り込むシステム。
【請求項３】
前記第１の脚部（４）の前記第２の本体（７）に固定され、回転することによって前記弾性膜（１０）の張力を調整する能力を有する、一対の平行横棒（１１）に前記弾性膜（１０）が固定され、
前記第１のフレーム（３）までの距離が調整可能である、請求項１に記載の足底画像を取り込むシステム。
【請求項４】
前記第１の脚部（４）を構成する前記管状中央本体（５）に対して前記第１の本体（６）を調整することによって、前記弾性膜（１０）と前記第１のフレーム（３）とによって形成される組立体の高さの調整が可能である、請求項２または３に記載の足底画像を取り込むシステム。
【請求項５】
前記第１の脚部（４）を構成する前記管状中央本体（５）に対して前記第２の本体（７）を調整することによって、前記第１のフレーム（３）に対して前記弾性膜（１０）の高さの調整が可能である、請求項２または３に記載の足底画像を取り込むシステム。
【請求項６】
第１のフレーム（３）の２つの対抗する側にヒンジ連結された、一対のプラットフォーム（１２）を含み、
各プラットフォーム（１２）はさらに、ヒンジ連結された側と反対側に、回動軸（１５）によって対応するプラットフォーム（１２）に回動可能に連結された一対の第２の脚部（１３）を含む、請求項２または３に記載の足底画像を取り込むシステム。
【請求項７】
前記第２の脚部（１３）は調整可能な能力を有する第３の本体（１５）を収容し、前記第２の脚部の高さの調整が可能である、請求項６に記載の足底画像を取り込むシステム。
【請求項８】
前記第１の本体（６）および前記第３の本体（１５）のそれぞれが、回転軸（１４）によって回転可能に連結された支持基部（１６）を有する、請求項１〜７のいずれか１項に記載の足底画像を取り込むシステム。
【発明の詳細な説明】
【発明の詳細な説明】
【０００１】
〔本発明の目的〕
本発明は、ポータブル構造と連結された深度センサまたは３Ｄ画像取り込み装置をベースとした、足底をスキャンすることによって足底画像を取り込むシステムに関する。当該システムは、高さの調整が可能な脚部、ガラス板を保持する第１のフレーム、および、その下に配置されたガラス板と接触するように患者の足を置く弾性膜を備え、足底画像を取り込む。一対の第２の脚部を備えたプラットフォームそれぞれは、第１のフレームに連結され得る。したがって、本発明の本質的な主題は、組立体の運搬を可能にし、任意の所望の場所において患者の足底画像を取り込むができる、ポータブル構造に透明な床を含むシステムである。本発明の実際の実施形態において、ヒンジ連結された側とは反対側に高さの調整が可能な一対の脚部を備えた一対のプラットフォームを、ガラス板を保持する第１のフレームの対向する２つの側とヒンジ連結させることができる。したがって、本発明の本質的な主題は、足が踏みつける弾性膜と、透明なガラス板の形態であり、足が最終的に支持される床（floor）または支え（stop）と、を有するポータブル構造を備えたシステムである。当該システムは、組立体全体を搬送することが可能であり、任意の所望の場所で患者の足底画像を取り込むことができる。
【０００２】
したがって、組立体全体を簡単な方法で搬送することができることによって、多くの状況において、ユーザまたは患者が、システムが配置されている場所に移動することなく、組立体が使用される場所に移動させることができる。このようにして、例えば、スポーツチームのメンバー等の一群の人々用にカスタマイズされた靴の中敷の製造に関する場合、チームメンバーすべてを、システムが固定された設備が配置される場所に移動する必要なく、足底画像を取り込むために必要とされる組立体を移動され得る。
【０００３】
〔背景技術〕
公知のとおり、市販の足底スキャナは通常、ガラス板を踏みつける足の画像を得る。この場合、かかとの画像と足の前部分の画像の両方が平坦に見え、足底アーチがかなり小さく見える。
【０００４】
さらに、本出願人は特許文献ＥＳ２３３６５３３の出願人でもある。本特許文献では、足底画像を取り込むデバイスを開示する。当該デバイスは、患者の実際の荷重状況において高精度で虚像を得て、柔軟性のある薄い織物をスキャンし、靴の内側の状況をシミュレートするスキャナをベースとする。
【０００５】
上記を実現するために、幅および高さが調整可能な一対の支持体に基づく構造が、該構造に適合できるようになっている足底スキャナに連結される。この支持体は、一対の梁によって頂部で足底スキャナを通過し、一対の梁の間にはユーザがスキャンされる足を置く弾性膜が設けられる。
【０００６】
ここで１つの注目すべき事実は、足底スキャナを移動させることは、その体積および誤った配置状態となる可能性の両方に起因して、重大な欠点があることである。
【０００７】
〔本発明の説明〕
本明細書に記載される足底画像を取り込むシステムは、深度センサまたは３Ｄ画像取り込み装置、および、ポータブル構造を備える。ポータブル構造は、第１の本体および第２の本体をそれぞれ各端部に収容する管状中央本体から構成され、第１の本体および第２の本体の高さが管状中央本体内で調整が可能である、調整可能な脚部；各調整可能な脚部の管状中央本体に連結された、ガラス板を保持する第１のフレーム；および、第１の脚部の第２の本体に連結された弾性膜；によって規定される。
【０００８】
第１のフレームはガラス板を保持し、透明の床または支えの態様で機能する。第１のフレームは、支持基部によって床に支持される第１の脚部を構成する第１の本体を調整する管状中央本体に連結される。調整可能な脚部を構成する第１の本体を調整することによって、第１の脚部の高さの調整が可能である。
【０００９】
第１の実施形態において、弾性膜が第２のフレーム内に配置され、第２のフレームは第１の脚部を構成する第２の本体に連結される。
【００１０】
第２の実施形態において、弾性膜が一対の平行横棒に固定される。一対の横棒は第１の脚部を構成する第２の本体に固定される。その結果、一対の横棒に設置される固定手段によって弾性膜の張力を調整し得る。
【００１１】
両方の実施形態において、弾性膜は、管状中央本体に沿った第２の本体の位置調整能力によって、第１のフレームに対する高さの調整が可能である。
【００１２】
上記２つの実施形態のいずれにおいても、一対のプラットフォームは、ヒンジ連結される側とは反対側に、回転可能に連結された、高さの調整が可能な対応する一対の第２の脚部を備える。第１のフレームの２つの対抗する側において、回転軸によって、それぞれのプラットフォームにヒンジ連結される。
【００１３】
第２の脚部のそれぞれの自由端に、高さを調整する第３の本体を収容する。
【００１４】
ポータブル構造の第１の脚部を構成する第１の本体と、プラットフォームに回転可能に連結された第２の脚部を構成する第３の本体との両方は、回転軸によってそれぞれの回転支持基部に終端する。
【００１５】
したがって、脚部の組立体の高さの調整およびその支持基部の回転をベースとして、第１の脚部および第２の脚部の両方がそれぞれの回転支持基部で終端するので、異なる位置で足をスキャンすることをより容易にする目的で、構造全体を４５°まで傾斜させることができる。
【００１６】
〔図面の簡単な説明〕
以下の説明を補足し、本発明の特徴をより良く理解するのを助けるために、一組の図面が本明細書に添付されている。これらの図面は、限定ではなく例示によって、本発明の最も特徴的な詳細を表している。
【００１７】
図１は、第１のフレームのガラス板および第２のフレームの弾性膜に対応し、センサを有する第１の実施形態における本発明のシステムの斜視図を示す。
【００１８】
図２は図１の第１の側面の立面図を示し、センサがポータブル構造の下にどのように中央に配置されるかを示す。
【００１９】
図３は図１の第２の側面の立面図を示し、センサがポータブル構造の下にどのように中央に配置されるかを示している。
【００２０】
図４は図１の平面図であり、弾性膜を有する第２のフレームを示す。
【００２１】
図５は、第２の実施形態における本発明のシステムの斜視図を示す。弾性膜を保持する一対の横棒は、ポータブル構造の第１の脚部を構成する第２の本体に固定されている。第１のフレームの２つの側とプラットフォームとがヒンジ連結され、ヒンジ連結された側と反対側に回転可能に連結された高さ調整可能な脚部をプラットフォームが有する。
【００２２】
図６は図５の平面図を示す。
【００２３】
図７は図５の側面の立面図を示す。ガラス板を保持する第１のフレームにヒンジ連結された一対のプラットフォームがどのようにガラス板と同一平面にあり、ユーザがどのように自分自身をそれらの上で位置決めすることが可能になるかを示す。
【００２４】
図８は図５の正面の立面図を示す。
【００２５】
図９は、折り畳まれた位置にある図５に示された本発明のシステムの斜視図を示す。
【００２６】
図１０は図９の平面図を示す。
【００２７】
図１１は図９の側面の立面図を示し、第１のフレームにヒンジ連結された一対のプラットフォームがどのように回転し、一対の脚部がプラットフォーム上で回転可能に連結され、同様に折り畳まれているかを示す。
【００２８】
図１２は図９の正面の立面図を示す。
【００２９】
図面で使用される参照番号は以下のとおりである。
１    深度センサ
２    第１のポータブル構造
２’  第２のポータブル構造
３    第１のフレーム
４    第１の脚部
５    管状中央本体
６    第１の本体
７    第２の本体
８    ガラス板
９    第２のフレーム
１０  弾性膜
１１  横棒
１２  プラットフォーム
１３  第２の脚部
１４  回転軸
１５  第三者
１６  支持基部
【００３０】
〔好ましい実施形態の説明〕
前述の図面および番号付けによれば、本発明の足底画像を取り込むシステムが深度センサ１およびポータブル構造２、２’を主に含むことを観察することができる。深度センサ１は、ウェブカメラを備えたラップトップＰＣ、携帯電話、タブレットまたは深度センサ１を備えた任意の電子装置等の、３Ｄ画像をリアルタイムで取り込むことが可能なモバイル装置によって定義されることが可能である。
【００３１】
したがって、第１の実施形態において、管状中央本体５から構成される第１の脚部４を備える第１のポータブル構造２を図１に示す。第１の本体６および第２の本体７が各端部の底部および頂部に収容され、管状中央本体５に対して位置が調整可能である。第１のポータブル構造２はまた、それぞれの第１の脚部４を構成する管状中央本体５に連結された、ガラス板８を保持する第１のフレーム３と、第１のフレーム３の上方に配置された、弾性膜１０を保持する第２のフレーム９とを備える。
【００３２】
本構成において、弾性膜上に置いたときに足の足底画像を撮影する弾性膜１０と、第１のフレーム３のガラス板８による透明な床または支えとを有する。足は最終的に支持され、ガラス板の下に配置された深度センサ１または同等のモバイル装置を使用することによってスキャンが進行する。
【００３３】
さらに、第１の脚部４の高さは、第１の本体６および第２の本体７を管状中央本体５に対して位置決めすることによって調整される。
【００３４】
したがって、ガラス板８を保持する第１のフレーム３の位置の高さは、管状中央本体５に対して第１の本体６を調整することによって調整可能である。
【００３５】
さらに、弾性膜１０を保持する第２のフレーム９とガラス板８を保持する第１のフレーム３との間の距離は、第１の脚部４を構成する管状中央本体５に沿った第２の本体７によって調整可能である。
【００３６】
したがって、患者または使用者の足底画像を取り込むために、図示されていない側方支持体が第１のポータブル構造２に取り付けられる。その結果、患者または使用者は足底画像を得るために使用されていない自分の足をその上に置くことができ、安定した快適な位置をとることができる。
【００３７】
第２の実施形態において、図５に示すように、第２のポータブル構造２’は第１の脚部４の第２の本体７に固定された一対の平行横棒１１を含む。固定手段によって連結された弾性膜１０は、横棒１１を回転させることによって張力が調整され、横棒１１の間に配置される。
【００３８】
２つの実施形態のいずれにおいても、弾性膜１０が第２のフレーム９によって支持されているかまたは横棒１１によって支持されているかに関わらず、ヒンジ連結された側とは反対側のそれぞれのプラットフォーム１２は、回転軸１４によってそれぞれのプラットフォーム１２に回転可能に連結された一対の第２の脚部１３をそれぞれ有し、それらの側に沿って第１のフレーム３の反対側の２つとヒンジ連結されている。
【００３９】
前記第２の脚部１３の高さは、第１の脚部４の管状中央本体５における第１の本体６と同様に、所望の長さで第２の脚部に収容される第３の本体１６によって調整可能である。
【００４０】
したがって、図５および図７において、弾性膜１０が配置された一対の横棒１１が第２の本体７に固定されると同時に、一対のプラットフォーム１２が第１のフレーム３と同一平面上にどのように配置されているかを観察することができる。弾性膜１０の高さが、第１のフレーム３と一体のガラス板８に対して、第２の本体７の高さ調整によって、または、弾性膜１０を組付けられた一対の横棒１１に固定する固定手段を介して調整することができる。
【００４１】
このように、ガラス板８が組み込まれた第１のフレーム３は、第１の本体６および第２の本体７と共に、第１のポータブル構造２の第１の脚部４を構成する管状中央本体５と一体である。第２の脚部１３がプラットフォーム１２の内面上で回転することができ、次にプラットフォーム１２が同様に第１のフレーム３とヒンジ連結したその連結軸に対して回転することができるので、本構成は第２のポータブル構造２’の基部支持体を画定する。図９に示すように、弾性膜１０を有する横棒１１を単に追加することによって第２のポータブル構造２’を構成し、容易に折り畳まれるので、その輸送を容易にする最小空間を占める。
【００４２】
さらに、図示するように、ガラス板８を保持する第１のフレーム３と連結する第１の脚部４を構成する第１の本体６と、第２の脚部１３を構成する第３の本体１５とを、第１のフレーム３に対するそのヒンジの側とは反対側に沿って一対のプラットフォーム１２に回転可能に連結することによって、第２のポータブル構造２’の組立体の高さを、その展開作業位置にあるときに所望の高さに調整することができる。
【００４３】
図５に示すように、第２のポータブル構造２’が展開作業位置にある状態で、患者は自分自身をその上に置き、透明な床またはストップの態様において、ガラス板８と接触するまで、スキャンされる対象の足を弾性膜１０上に置く。弾性膜の下に配置された深度センサ１または同等のモバイル装置によって足をスキャンすることができる。他方の足は、プラットフォーム１２の一方に支持され、スキャンが完了したときに、患者またはユーザは足の位置を変更するだけでよい。その結果、すでにスキャンされた足を自由なプラットフォーム１２上に置き、透明な床またはストップの態様において、ガラス板８と接触するようにプラットフォーム１２を踏んだ他方の足は膜１０上に置かれ、そのスキャンが進行する。
【００４４】
さらに、一対のプラットフォーム１２に回転可能に連結された第１の脚部４および第２の脚部１３の両方は、対応する回転軸１４によって回転可能に連結されたそれぞれの支持基部１６で終端し、４５°までの構造の回転を可能にし、一定の角度における足のスキャンをより容易にする。
【００４５】
したがって、スキャン部位の位置変更を必要とする状況のとき、図示されるように、第２の構造２’はポータブルＰＣまたは同様の手段によって規定され得る適切な深度センサ１とともに、折り畳まれおよびスキャン部位に移動され得る。そして足底画像は、所望の場所で取り込まれ、輸送の容易さを提供する。
【００４６】
第１の脚部４を構成する第１の本体６および第２の本体７、ならびに第２の脚部１３を構成する第３の本体１５の高さは、例えば、管状中央本体５の対応する孔と一致する一連の孔と、その中に適合されたそれぞれの要素または他の同等の手段等の、当技術分野において公知の手段によって調整することができる。
【図面の簡単な説明】
【００４７】
【図１】第１のフレームのガラス板および第２のフレームの弾性膜に対応し、センサを有する第１の実施形態における本発明のシステムの斜視図を示す。
【図２】図１の第１の側面の立面図を示し、センサがポータブル構造の下にどのように中央に配置されるかを示す。
【図３】図１の第２の側面の立面図を示し、センサがポータブル構造の下にどのように中央に配置されるかを示している。
【図４】図１の平面図であり、弾性膜を有する第２のフレームを示す。
【図５】第２の実施形態における本発明のシステムの斜視図を示す。弾性膜を保持する一対の横棒は、ポータブル構造の第１の脚部を構成する第２の本体に固定されている。第１のフレームの２つの側とプラットフォームとがヒンジ連結され、ヒンジ連結された側と反対側に回転可能に連結された高さ調整可能な脚部をプラットフォームが有する。
【図６】図５の平面図を示す。
【図７】図５の側面の立面図を示す。ガラス板を保持する第１のフレームにヒンジ連結された一対のプラットフォームがどのようにガラス板と同一平面にあり、ユーザがどのように自分自身をそれらの上で位置決めすることが可能になるかを示す。
【図８】図５の正面の立面図を示す。
【図９】折り畳まれた位置にある図５に示された本発明のシステムの斜視図を示す。
【図１０】図９の平面図を示す。
【図１１】図９の側面の立面図を示し、第１のフレームにヒンジ連結された一対のプラットフォームがどのように回転し、一対の脚部がプラットフォーム上で回転可能に連結され、同様に折り畳まれているかを示す。
【図１２】図９の正面の立面図を示す。
【図１】
2021529649.tif 000003
【図２】
2021529649.tif 000004
【図３】
2021529649.tif 000005
【図４】
2021529649.tif 000006
【図５】
2021529649.tif 000007
【図６】
2021529649.tif 000008
【図７】
2021529649.tif 000009
【図８】
2021529649.tif 000010
【図９】
2021529649.tif 000011
【図１０】
2021529649.tif 000012
【図１１】
2021529649.tif 000013
【図１２】
2021529649.tif 000014
【国際調査報告】
2021529649.tif 000015
2021529649.tif 000016
2021529649.tif 000017
2021529649.tif 000018
2021529649.tif 000019
2021529649.tif 000020
2021529649.tif 000021
2021529649.tif 000022